(57)【要約】【課題】太鼓部分と胴部分とに分割して各部分を短くかつ軽くし、初心者であっても短期間の習得により帯を結べるとともに太鼓部分を好みの形で自由かつ容易に結ぶことができる和服用帯およびその仕立て方法を提供する。【解決手段】太鼓部分４、腹部分７と無地部分６からなる胴部分５を有する和服用帯１において、太鼓部分４と腹部分７の間に無地部分６を設ける。太鼓部分４と無地部分６の間で切断８し、２本の短い部分に分割する。胴部分５を胴に巻き付けた後に、好みの太鼓に形成した太鼓部分４を胴部分５に着帯する。【選択図】        図１
2004300627.tif 000002
【特許請求の範囲】
【請求項１】
太鼓部分、腹部分と無地部分からなる胴部分を有する和服用帯において、上記太鼓部分と上記腹部分の間に上記無地部分を設け、上記太鼓部分と上記無地部分の間で切断可能にしたことを特徴とする和服用帯。
【請求項２】
太鼓部分、腹部分と無地部分からなる胴部分を有する和服用帯において、上記太鼓部分と上記腹部分の間に上記無地部分を設け、上記太鼓部分と上記無地部分の間で切断し、各切断部をそれぞれ縫製して上記太鼓部分と上記胴部分を分けたことを特徴とする和服用帯。
【請求項３】
上記太鼓部分および上記腹部分に太鼓柄といわれる柄を設けたことを特徴とする請求項１または２記載の和服用帯。
【請求項４】
上記太鼓部分の柄はその中心を垂れ先より袋帯では約３．５尺（１３３ｃｍ）また名古屋帯では約２尺（７６ｃｍ）の位置とし、この柄中心と腹部分の柄中心とは切断前に約５．６尺（２１３ｃｍ）の間隔を有することを特徴とする請求項３記載の和服用帯。
【請求項５】
太鼓部分、腹部分と無地部分からなる胴部分を有する和服用帯の仕立て方法において、上記太鼓部分と上記腹部分の間に上記無地部分を設けて一本の帯を仕立てした後、上記太鼓部分と上記無地部分の間で切断して分割し、各切断部をそれぞれ縫製することを特徴とする和服用帯の仕立て方法。
【請求項６】
太鼓部分、腹部分と無地部分からなる胴部分を有する和服用帯の仕立て方法において、従来の垂れ先から太鼓部分、腹部分、無地部分、手先となる一本の帯を、上記太鼓部分と上記腹部分および上記無地部分と上記手先の間でそれぞれ分割し、上記太鼓部分および無地部分の各切断部をそれぞれ縫製するとともに、上記腹部分と上記手先の切断部を縫着し、上記太鼓部分と上記胴部分を分割したことを特徴とする和服用帯の仕立て方法。
【請求項７】
上記太鼓部分および上記腹部分に太鼓柄といわれる柄を設けたことを特徴とする請求項５または６記載の和服用帯の仕立て方法。
【請求項８】
上記太鼓部分の柄はその中心を垂れ先より袋帯では約３．５尺（１３３ｃｍ）また名古屋帯では約２尺（７６ｃｍ）の位置とし、この柄中心と腹部分の柄中心とは切断前に約５．６尺（２１３ｃｍ）の間隔を有することを特徴とする請求項７記載の和服用帯の仕立て方法。
【発明の詳細な説明】
【０００１】
【発明の属する技術分野】
本発明は、容易に帯を結ぶことができる和服用帯およびその仕立て方法に関する。
【０００２】
【従来の技術】
婦人用の和服用帯には、袋帯や名古屋帯など各種の帯があるが、いずれも一般的に長い一本の布地で構成されている。例えば、図１２に袋帯１００を例示すると、垂れ先１０１、太鼓部分１０２、胴部分１０３および手先１０４からなり、胴部分１０３は結んだ際に前帯となる部分（以下、腹部分という）１０５と下帯となる部分（以下、無地部分という）１０６を有している。太鼓部分１０２および腹部分１０５は、帯を結んだ時に背および腹に位置するもので、太鼓柄といわれる目立つ柄１０２ａ，１０５ａが織り込まれているものもあり、さらに手先１０４にも柄１０４ａが設けられているものもある。
【０００３】
また、従来、太鼓部分と胴部分に分けて２つにし、太鼓部分を所定の形にして胴部分に縫着した作り帯といわれる簡易型の帯が提案されている（例えば、特許文献１。）。
【０００４】
【特許文献１】
特開平１１−１３１３１２号公報（第１頁、図１〜３）
【０００５】
【発明が解決しようとする課題】
一般に、袋帯は長さ一丈一尺（４１８ｃｍ）以上、名古屋帯は長さ９尺５寸（３６１ｃｍ）以上、幅八寸二分（３１ｃｍ）以上を有しており、その長さと重さによりある程度の熟練をつまないと自分で帯を結ぶには相当の困難があった。しかし、帯を結ぶ技術を習得するには少なくとも３ヶ月位着付教室に通う必要があり、そのために和服離れの原因ともなっていた。また、和服を着慣れた人であっても歳を重ねるに従い、長く重い帯は扱いにくくなるという問題もあった。さらに、太鼓柄は、太鼓部分と腹部分の柄１０２ａ，１０５ａの中心間隔が約２．５尺（９５ｃｍ）と近い位置につけられているため、体型によってはお腹の中心に柄１０５ａが位置しない恐れがあった。
【０００６】
一方、特開平１１−１３１３１２号公報に記載された帯は容易に着帯できるが、太鼓部分は所定の形に形成され胴部分に固定されているので、太鼓部分の形は限定され、和服を着る際の気分や場所柄に合わせて太鼓結び、文庫結び、ふくら雀結び、角出し結びなど好みの結びを選択できない問題があり、各種の結びを選択しようとするとその結び形を縫着した帯自体を購入しなければならず、経済的にも負担となっていた。
【０００７】
本発明は、上記問題点に鑑みてなされたもので、太鼓部分と胴部分とに分割して各部分を短くかつ軽くし、初心者であっても短期間の習得により帯を結べるともに太鼓部分を好みの形で自由かつ容易に結ぶことができる和服用帯およびその仕立て方法を提供することを目的とする。
【０００８】
【課題を解決するための手段】
上記目的を達成するために、本発明の請求項１に係る和服用帯は、太鼓部分、腹部分と無地部分からなる胴部分を有する和服用帯において、上記太鼓部分と上記腹部分の間に上記無地部分を設け、上記太鼓部分と上記無地部分の間で切断可能にしたことを特徴とする。
【０００９】
この発明によれば、和服の仕立てや和服の購入の際に、帯の全体を見て帯を選ぶことができる。また、太鼓部分と無地部分の間で切断して２つに分割でき、胴に巻き付ける動作と太鼓部分を形成する動作を独立的に行えるとともに、それぞれの部分が軽くなるので、短期間の習得で容易に形よく帯締めを行える。さらには、太鼓部分の結び方は自分の好みで行うことができる。
【００１０】
また、本発明の請求項２に係る和服用帯は、太鼓部分、腹部分と無地部分からなる胴部分を有する和服用帯において、上記太鼓部分と上記腹部分の間に上記無地部分を設け、上記太鼓部分と上記無地部分の間で切断し、各切断部をそれぞれ縫製して上記太鼓部分と上記胴部分を分けたことを特徴とする。
【００１１】
この発明によれば、太鼓部分と無地部分の間で切断し２つに分割してあるので、胴に巻き付ける動作と太鼓部分を形成する動作を独立的に行えるとともに、それぞれの部分が軽くなるので、容易に形よく帯締めを行える。さらには、太鼓部分の結び方は自分の好みで行うことができる。
【００１２】
さらに、本発明の請求項３に係る和服用帯は、請求項１または２の和服用帯において、上記太鼓部分および上記腹部分に太鼓柄といわれる柄を設けることを特徴とする。
【００１３】
また、本発明の請求項４に係る和服用帯は、請求項３の和服用帯において、上記太鼓部分の柄はその中心を垂れ先より袋帯では約３．５尺（１３３ｃｍ）また名古屋帯では約２尺（７６ｃｍ）の位置とし、この柄中心と腹部分の柄中心とは切断前に約５．６尺（２１３ｃｍ）の間隔を有することを特徴とする。
【００１４】
請求項３，４の発明によれば、太鼓部分と胴部分を分けたので、体型にかかわらず太鼓柄を背中心およびお腹中心に位置させることができる。その他の作用は、請求項１，２と同様である。
【００１５】
本発明の請求項５に係る和服用帯の仕立て方法は、太鼓部分、腹部分と無地部分からなる胴部分を有する和服用帯の仕立て方法において、上記太鼓部分と上記腹部分の間に上記無地部分を設けて一本の帯を仕立てした後、上記太鼓部分と上記無地部分の間で切断して分割し、各切断部をそれぞれ縫製することを特徴とする。
【００１６】
この発明によれば、太鼓部分と胴部分を一連の動作で仕立てることができる。また、無地部分の間で切断し２つに分割することで、胴に巻き付ける動作と太鼓部分を形成する動作を独立的に行えるとともに、それぞれの部分が軽くなるので、容易に形よく帯締めを行える。さらには、太鼓部分の結び方は自分の好みで行うことができる。
【００１７】
本発明の請求項６に係る和服用帯の仕立て方法は、太鼓部分、腹部分と無地部分からなる胴部分を有する和服用帯の仕立て方法において、従来の垂れ先から太鼓部分、腹部分、無地部分、手先となる一本の帯を、上記太鼓部分と上記腹部分および上記無地部分と上記手先の間でそれぞれ分割し、上記太鼓部分および無地部分の各切断部をそれぞれ縫製するとともに、上記腹部分と上記手先の切断部を縫着し、上記太鼓部分と上記胴部分を分割したことを特徴とする。
【００１８】
この発明によれば、従来の帯を仕立て直すことで、請求項２と同様に、帯締めしやすい帯を得ることができる。
【００１９】
また、本発明の請求項７に係る和服用帯の仕立て方法は、請求項５または６の和服用帯の仕立て方法において、上記太鼓部分および上記腹部分に太鼓柄といわれる柄を設けたことを特徴とする。
【００２０】
さらに、本発明の請求項８に係る和服の仕立て方法は、請求項７の和服用帯の作成方法において、上記太鼓部分の柄はその中心を垂れ先より袋帯では約３．５尺（１３３ｃｍ）また名古屋帯では約２尺（７６ｃｍ）の位置とし、この柄中心と腹部分の柄中心とは切断前に約５．６尺（２１３ｃｍ）の間隔を有することを特徴とする。
【００２１】
請求項７，８の発明によれば、請求項３，４と同様に、太鼓柄を背中心および腹中心に位置させることができる帯を得ることができる。
【００２２】
【発明の実施の形態】
（実施の形態１）
本発明の実施の形態１を図１および図２に基づいて説明する。図１は本実施の形態の和服用帯を示す正面図、図２は仕立てた和服用帯を示す正面図である。
【００２３】
本実施の形態の和服用帯１は、通し柄の袋帯で、図１に示すように、垂れ先２から手先３へ連続して織り上げられ、垂れ先２側から太鼓部分４、胴部分５となっている。胴部分５は帯下となる無地部分６と帯前となる腹部分７からなり、無地部分６は太鼓部分４と腹部分７の間に設けられており、無地部分６を挟む太鼓部分４と腹部分７には柄が織り出されている。この和服用帯１は、太鼓部分４が約４．５尺（１７１ｃｍ）、無地部分６が約３．１尺（１１８ｃｍ）、腹部分７が約４尺（１５２ｃｍ）の長さを有しており、全体では約１１．６尺（４４１ｃｍ）となっている。
【００２４】
上記和服用帯１は、図２に示すように、太鼓部分４から１寸（３．８ｃｍ）程度無地部分６に入り込んだ位置で和服用帯１の長手方向に直交させて切断８し、太鼓部分４と胴部分５を分割した後に切断部位を縫製して仕立て上げている。
【００２５】
次に、上記仕立て上げた和服用帯１の結び方を図３に基づいて説明する。本結び方は二重太鼓の結び方を示している。
まず、胴部分５の無地部分６の手先を幅方向に二つ折りにし、図３（ａ）に示すように、折り目を下にして背中心に当てる。このとき、後述するように背部で結べる長さ（図３（ｅ）参照）を残しておく。次に、図３（ｂ）に示すように、無地部分６の手先６ａを斜め上方に位置させるようにしつつ、帯を二つ折りにしながら胴体に胴部分５を一巻きごとに締め、図３（ｃ）に示すように、前板（帯板）１７が腹に位置するように二つ折りした帯の間に入れる。そして、図３（ｄ）に示すように、胴部分５の腹部分７を二回巻き、図３（ｅ）に示すように、上記無地部分６の手先６ａ側と腹部分７の先端側を背中で結び、腹部分７の残りを手９とする。この時、図３（ｆ）に示すように、巻いてある胴部７に手９を沿わせた際に、手先９ａが腹の中心より１０ｃｍ位長くなるようにする。この際、帯バサミ１０ａで手９の横脇を挟んで止めるとともに、手先９ａの部分が落ちないように帯バサミ１０ｂで止める。
【００２６】
次に、太鼓１１を作る。まず、図３（ｇ）に示すように、太鼓部分４を全幅の状態で垂れ先を表１１ａにして畳などの平面上で二つ折りにする。この時、下の部分は１０ｃｍ位短くする。次に、図３（ｈ）に示すように、折り出し線１２に合わせて太鼓１１の大きさを決め、残りを下の部分上になるように折り込み、帯止め１３により折り込んだ部分の両端（左右端）を下の部分に固定する。そして、図３（ｉ）に示すように、上記二つ折りした部分に位置するように帯枕１４を太鼓１１の中に入れ、上記表１１ａを外側にして背中心に持っていき、図３（ｊ）に示すように、帯枕１４の紐１４ａを前に回してしっかりと結び、図３（ｋ）に示すように、帯枕１４を包むように帯揚げ１５を太鼓１１の中に通し、帯揚げをする。
【００２７】
その後、帯バサミ１０ａ，１０ｂを外し、図３（ｌ）に示すように、手先９ａを太鼓１１の中に入れ、形を整える。その後、図３（ｍ）に示すように、帯締め１６をしっかりと結び、図３（ｎ）に示す二重太鼓１７の結びが完成する。
【００２８】
本実施の形態によれば、本来は長い帯を太鼓部分４と胴部分５の２つに分割し、２本の短い部分にしたので扱いやすい長さで軽くなるとともに、胴部分５の巻き付けと太鼓部分４の結びをほぼ独立的に行うことが可能になり、和服の着用になれていない初心者であっても簡単に易しく帯結びを行うことができる。また、太鼓部分４の結びは、例示した二重太鼓結びに限られず、文庫結び、ふくら雀結び、角出しなど、好みに合わせて自由に結ぶことができる。
【００２９】
（実施の形態２）
本発明の実施の形態２を図４および図５に基づいて説明する。図４は本実施の形態の和服用帯を示す正面図、図５は仕立てた和服用帯を示す正面図である。
【００３０】
本実施の形態の和服用帯２１は、太鼓柄の袋帯で、図４に示すように、垂れ先２２から手先２３へ連続して織り上げられ、垂れ先２２側から太鼓部分２４、胴部分２５となっている。胴部分２５は帯下となる無地部分２６と帯前となる腹部分２７からなり、無地部分２６は太鼓部分２４と腹部分２７の間に設けられており、無地部分２６を挟む太鼓部分２４と腹部分２７には太鼓柄を構成する柄２４ａ，２７ａが織り出されている。太鼓柄は、柄２４ａおよび２７ａの中心が垂れ先２２から約３．５尺（１３３ｃｍ）および約９．１尺（３４６ｃｍ）に位置し、柄２４ａ，２７ａは約５．６尺（２１３ｃｍ）の間隔を有している。各部分の長さは、実施の形態１と同様である。
【００３１】
上記和服用帯２１は、図５に示すように、太鼓部分２４から１寸（３．８ｃｍ）程度無地部分２６に入り込んだ位置で和服用帯１の長手方向に直交させて切断２８し、太鼓部分２４と胴部分２５を分割した後に切断部位を縫製して仕立て上げている。
【００３２】
本実施の形態の和服用帯２１は、上記実施の形態１と同様に帯結びを行うことができるので、その説明を省略する。
【００３３】
本実施の形態によれば、太鼓部分２４と胴部分２５を分割したので、従来の帯のように、太鼓柄が近い位置に有った際に体型により腹部分の柄がお腹の中心からズレた状態で帯結びを行う心配がなく、確実に腹部分２７の柄２７ａをお腹の中心に位置させることができる。また、太鼓を作る際にも、例えば真上から観察して柄２４ａを所定の場所に位置させて太鼓部分２４を折ることができ、その状態で太鼓を作ることで、ズレのない太鼓を作ることができる。その他の効果は実施の形態１と同様である。
【００３４】
（実施の形態３）
本発明の実施の形態３を図６および図７に基づいて説明する。図６は本実施の形態の和服用帯を示す正面図、図７は仕立てた和服用帯を示す正面図である。
【００３５】
本実施の形態の和服用帯３１は、太鼓柄の名古屋帯で、図６に示すように、垂れ先３２から手先３３へ連続して織り上げられ、垂れ先３２側から太鼓部分３４、胴部分３５となっている。垂れ先３２には太鼓部分３４の裏を約３．３尺（１２５ｃｍ）ほど返してあるかえし３９が設けられている。胴部分３５は帯下となる無地部分３６と帯前となる腹部分３７からなり、無地部分３６は太鼓部分３４と腹部分３７の間に設けられており、無地部分３６を挟む太鼓部分３４と腹部分３７には柄３４ａ，３７ａが織り出されている。この和服用帯３１は、かえし３９が約３．３尺（１２５ｃｍ）、太鼓部分３４と無地部分３６が約３尺（１１４ｃｍ）、腹部分３７が約４尺（１５２ｃｍ）の長さを有し、柄３４ａおよび３７ａの中心は垂れ先３２から約２尺（７６ｃｍ）および約７．５尺（２８５ｃｍ）の位置に有って、両柄３４ａ，３７ａの間隔は約５．５尺（２０９ｃｍ）となっている。
【００３６】
上記和服用帯３１は、図７に示すように、太鼓部分３４から１寸（３．８ｃｍ）程度無地部分３６に入り込んだ位置で和服用帯３１の長手方向に直交させて切断３８し、太鼓部分３４と胴部分３５を分割した後に切断部位を縫製して仕立て上げている。
【００３７】
本実施の形態の和服用帯３１は、上記実施の形態２と同様の作用、効果を得ることができる。なお、太鼓柄の名古屋帯を例示したが、実施の形態１のように通し柄であってもよい。
【００３８】
（実施の形態４）
本発明の実施の形態４を図８および図９に基づいて説明する。図８は本実施の形態で仕立て直す和服用帯を示す正面図、図９は仕立て直した和服用帯を示す正面図である。
【００３９】
図８に示す和服用帯４１は、垂れ先４２から太鼓部分４３、胴部分４４の腹部分４５と無地部分４６および手先４７となる従来から使用されている通し柄の袋帯である。
【００４０】
上記和服用帯４１は、図９に示すように、太鼓部分４３と腹部分４５の間および無地部分４６と手先４７の間で和服用帯４１の長手方向に直交させてそれぞれ切断４８，４９し、太鼓部分４３と無地部分４６の切断部位を縫製するとともに、腹部分４５の切断部位と手先４７の切断部位を縫着し、太鼓部分４３と胴部分４４の２つに分割した和服用帯５０に仕立て直してある。さらに、太鼓部分４３と腹部分４５に太鼓柄４３ａ，４５ａを設けてあり、柄４３ａの中心は垂れ先４２から約３．５尺（１３３ｃｍ）および柄４５ａの中心は無地部分４６の端から約４．２尺（１５９ｃｍ）に位置している。なお、太鼓柄４３ａ，４５ａを設けず、通し柄の帯として使用してもよい。
【００４１】
本実施の形態によれば、従来の長い一本の和服用帯４１を２つに分けて２本の短い部分にして扱いやすい長さで軽くなるように仕立て直し、実施の形態１，２と同様に、帯結びが簡単にやさしく行うことができる和服用帯５０を得ることができる。
【００４２】
（実施の形態５）
本発明の実施の形態５を図１０および図１１に基づいて説明する。図１０は本実施の形態で仕立て直す和服用帯を示す正面図、図１１は仕立て直した和服用帯を示す正面図である。
【００４３】
図１０に示す和服用帯５１は、垂れ先５２から太鼓部分５３、胴部分５４の腹部分５５と無地部分５６および手先５７となる１本の帯で、隣り合う太鼓部分５３と腹部分５５に柄５３ａ，５５ａを設け、柄５３ａ，５５ａが近い距離（間隔は約２．５尺（９５ｃｍ））につけられた従来から使用されている太鼓柄の名古屋帯である。
【００４４】
上記和服用帯５１は、図１１に示すように、太鼓部分５３と腹部分５５の間および腹部分５５と無地部分５６の間で和服用帯５１の長手方向に直交させてそれぞれ切断５８，５９し、太鼓部分５３の切断５８部位と無地部分５６の切断５９部位を縫製するとともに、腹部分５５の切断５８部位と無地部分５５の端部を縫着し、太鼓部分５３と胴部分５４の２つに分割した和服用帯６０に仕立て直してある。すなわち、太鼓部分５３の太鼓柄５３ａはその中心が垂れ先５２から約２尺（７６ｃｍ）の所に位置し、腹部分５５の太鼓柄５５ａの中心は無地部分５６の端から約４尺（１５２ｃｍ）の所に位置している。
【００４５】
本実施の形態によれば、実施の形態４と同様な効果を得ることができる。
【００４６】
【発明の効果】
以上説明したように、本発明によれば、太鼓部分と胴部分を分割して２つの部分に分け、２本の短くて使いやすい長さにできるとともに軽くすることができるので、初心者であっても短期間の習得で簡単に形よく帯を結ぶことができ、より多くの人々に着物を着て楽しむ機会を与えることができる。また、太鼓部分の結びは従来の帯で結べる全ての形にできるので、好みや気分に応じて自由に結びの形を選択することができるとともに、和服を愛好する多くの人々に対する需要にも応ずることができる。
【００４７】
さらに、従来の帯は太鼓部分と腹部分の太鼓柄の間隔が約２．５尺（９５ｃｍ）となっていたので、体型によっては柄がお腹の中心に位置しない恐れがあったが、本発明では太鼓部分と胴部分を分割したので、体型の如何にかかわらず、そのような恐れはなくなる。
【図面の簡単な説明】
【図１】本発明の実施の形態１を示す正面図である。
【図２】本発明の実施の形態１の仕立て上げた状態を示す正面図である。
【図３】本発明の実施の形態１の帯結び方示す説明図である。
【図４】本発明の実施の形態２を示す正面図である。
【図５】本発明の実施の形態２の仕立て上げた状態を示す正面図である。
【図６】本発明の実施の形態３を示す正面図である。
【図７】本発明の実施の形態３の仕立て上げた状態を示す正面図である。
【図８】本発明の実施の形態３の仕立て直す前の状態を示す正面図である。
【図９】本発明の実施の形態３の仕立て上げた状態を示す正面図である。
【図１０】本発明の実施の形態４の仕立て直す前の状態を示す正面図である。
【図１１】本発明の実施の形態４の仕立て上げた状態を示す正面図である。
【図１２】従来技術を示す正面図である。
【符号の説明】
１，２１，３１，４１，５０，５１，６０  和服用帯
２，２２，３２，４２，５２  垂れ先
３，２３，３３，４７，５７  手先
４，２４，３４，４３，５３  太鼓部分
５，２５，３５，４４，５４  胴部分
６，２６，３６，４６，５６  無地部分
７，２７，３７，４５，５５  腹部分
８，２８，３８，４８，４９，５８，５９  切断
【図１】
2004300627.tif 000003
【図２】
2004300627.tif 000004
【図３】
2004300627.tif 000005
【図４】
2004300627.tif 000006
【図５】
2004300627.tif 000007
【図６】
2004300627.tif 000008
【図７】
2004300627.tif 000009
【図８】
2004300627.tif 000010
【図９】
2004300627.tif 000011
【図１０】
2004300627.tif 000012
【図１１】
2004300627.tif 000013
【図１２】
2004300627.tif 000014
【手続補正書】
【提出日】平成15年5月26日(2003.5.26)
【手続補正１】
【補正対象書類名】図面
【補正対象項目名】全図
【補正方法】変更
【補正の内容】
【図１】
2004300627.tif 000015
【図２】
2004300627.tif 000016
【図３（ａ）】
2004300627.tif 000017
【図３（ｂ）】
2004300627.tif 000018
【図３（ｃ）】
2004300627.tif 000019
【図３（ｄ）】
2004300627.tif 000020
【図３（ｅ）】
2004300627.tif 000021
【図３（ｆ）】
2004300627.tif 000022
【図３（ｇ）】
2004300627.tif 000023
【図３（ｈ）】
2004300627.tif 000024
【図３（ｉ）】
2004300627.tif 000025
【図３（ｊ）】
2004300627.tif 000026
【図３（ｋ）】
2004300627.tif 000027
【図３（ｌ）】
2004300627.tif 000028
【図３（ｍ）】
2004300627.tif 000029
【図３（ｎ）】
2004300627.tif 000030
【図４】
2004300627.tif 000031
【図５】
2004300627.tif 000032
【図６】
2004300627.tif 000033
【図７】
2004300627.tif 000034
【図８】
2004300627.tif 000035
【図９】
2004300627.tif 000036
【図１０】
2004300627.tif 000037
【図１１】
2004300627.tif 000038
【図１２】
2004300627.tif 000039